(57)【要約】【課題】手摺り用ブラケット３において、アーム４の横向き棒状部４２の抜け出しを阻止可能とする。【解決手段】取付座５のアーム挿入部５２に対するアーム４の横向き棒状部４２の挿入深さが調整された状態で、横向き棒状部４２の溝４４の内底面に固定ねじ８の先端が押し付けられることにより、横向き棒状部４２が抜け止めされる。その状態において、化粧カバー６を取付座５の前開口５６に装着すると、この化粧カバー６のストッパ６１が固定ねじ８の先端がアーム挿入部５２の内面から没しないように固定ねじ８の緩み量を規制する。【選択図】図１
2018178594.tif 000002
【特許請求の範囲】
【請求項１】
建物の壁面に沿って手摺りを横方向に設置するのに用いられる手摺り用ブラケットであって、
前記手摺りを受ける手摺り受け及び当該手摺り受けが先端に設けられる棒状部を有するアームと、
前記壁面に取付ねじにより固定される基板部及び前記アームの棒状部の基端側が挿脱可能に挿入されるアーム挿入部を有する取付座と、
この取付座のアーム挿入部に設けられたねじ孔に螺入されかつ先端が前記棒状部の基端側外面に押し付けられることで前記アームの棒状部をアーム挿入部内に固定する固定ねじと、を備え、
前記アームの棒状部には、前記固定ねじの先端側が入れられる溝が当該棒状部の中心軸線と平行に設けられ、
前記取付座には、その基板部の前方に、該基板部に挿入される前記取付ねじを覆い隠す化粧カバーが着脱自在に取り付けられ、
この化粧カバーの内面に、前記固定ねじの先端が前記アーム挿入部の内面から没しないように該固定ねじの緩み量を規制するストッパが設けられている、ことを特徴とする手摺り用ブラケット。
【請求項２】
建物の壁面に沿って手摺りを横方向に設置するのに用いられる手摺り用ブラケットであって、
前記手摺りを受ける手摺り受け及び当該手摺り受けが先端に設けられる棒状部を有するアームと、
前記壁面に取付ねじにより固定される基板部及び前記アームの棒状部の基端側が挿脱可能に挿入されるアーム挿入部を有する取付座と、
この取付座のアーム挿入部に設けられたねじ孔に螺入されかつ先端が前記棒状部の基端側外面に押し付けられることで前記アームの棒状部をアーム挿入部内に固定する固定ねじと、を備え、
前記アーム挿入部には、前記固定ねじの先端側が入れられる溝が当該アーム挿入部の中心軸線と平行に設けられ、
前記アームの棒状部には、前記溝に嵌まる凸部が径方向外向きに突出するように設けられ、
前記取付座には、その基板部の前方に、該基板部に挿入される前記取付ねじを覆い隠す化粧カバーが着脱自在に取り付けられ、
この化粧カバーの内面に、前記固定ねじの先端が前記溝の内底面から没しないように該固定ねじの緩み量を規制するストッパが設けられている、ことを特徴とする手摺り用ブラケット。
【請求項３】
請求項１または２に記載の手摺り用ブラケットにおいて、
前記ストッパは、前記固定ねじの先端を前記アームの棒状部に押し付ける位置まで前記ねじ孔に螺入された状態において、当該固定ねじの外端に接触しない程度に接近する位置に設けられる、ことを特徴とする手摺り用ブラケット。
【請求項４】
請求項１から３のいずれか１項に記載の手摺り用ブラケットにおいて、
前記ストッパは、前記ねじ孔の外側開口を覆い隠すように前記化粧カバーの内面に設けられる舌片とされる、ことを特徴とする手摺り用ブラケット。
【請求項５】
請求項１から４のいずれか１項に記載の手摺り用ブラケットにおいて、
前記取付座の基板部は、前記アーム挿入部の下側に張り出すような縦長形状とされており、その前面における左辺および右辺には、それぞれ側板部が前向きに張り出すとともに前記アーム挿入部の下側に連接されるように設けられており、
前記化粧カバーは、前記２つの側板部と前記アーム挿入部とで囲む空間を塞ぐように前記２つの側板部の前側に着脱可能に取り付けられる、ことを特徴とする手摺り用ブラケット。
【発明の詳細な説明】
【技術分野】
【０００１】
本発明は、建物の壁面に手摺りを横方向に沿うように設置するのに用いる手摺り用ブラケットに関する。
【背景技術】
【０００２】
一般に、建物の壁面に丸棒状の手摺りを横方向に沿うように設置するにあたっては、手摺り用ブラケットが用いられている。
【０００３】
この手摺り用ブラケットは、前記壁面の横方向の所定ピッチ毎の位置に１つずつ取り付けられ、これらの手摺り用ブラケット上に前記手摺りを載せて、それらを連結するようになっている。
【０００４】
この種の手摺り用ブラケットとして、例えば特許文献１に示すようなものが知られている。この手摺り用ブラケットは、取付け座部、アーム部などを備えている。
【０００５】
前記取付け座部は、留め具により壁面に固定される。前記アーム部は、一端側が前記取付け座部に取付けられかつ他端側が前記取付け座部の前方に突出される。このアーム部の他端側には、手摺り支持部が設けられている。この手摺り支持部は、前記手摺りが上から載せられるものである。
【０００６】
そして、前記取付け座部には、前記アーム部の一端側が挿入される横穴が設けられている。
【０００７】
この横穴の奥面部（穴の底部分）の中心位置には、留め具挿通孔が設けられている。前記横穴の開口から前記留め具を挿入し、この留め具のねじ軸部を前記留め具挿通孔に挿通するとともに前記壁面に埋設されているインサートナットに螺合することにより、前記取付け座部を前記壁面に固定するようになっている。
【０００８】
この取付け座部の前記横穴において底面部には、当該横穴の中心軸線と平行な案内溝部が設けられている。一方、前記アーム部の一端側には、前記案内溝部に嵌まる突片部が設けられている。
【０００９】
前記案内溝部に前記突片部を嵌めるようにして前記取付け座部の前記横穴にアーム部の一端側を挿入すると、前記アーム部が回ることを阻止できるようになる。
【００１０】
また、前記案内溝において前記横穴の開口寄りの内底面には、ねじ孔が設けられており、このねじ孔に固定ねじが螺入されるようになっている。そして、前記ねじ孔に螺入される固定ねじの先端を、前記横穴に挿入されている前記アーム部の外周面に押し付けると、前記アーム部の抜け出しを阻止できるようになる。
【先行技術文献】
【特許文献】
【００１１】
【特許文献１】特許第４２１４１６６号公報
【発明の概要】
【発明が解決しようとする課題】
【００１２】
上記特許文献１の手摺り用ブラケットは、前記ねじ孔の下側開口および固定ねじの外端が外部に露呈されているので、前記固定ねじが緩むことが許容されるようになっている。そのため、前記固定ねじが緩むと、その内端が前記ねじ孔の内側開口と面一となる位置、あるいは前記内側開口内に没入する位置（ストッパの役割を果たさなくなる位置）まで抜け出すことが起こり得る。そのような状況になると、前記アーム部が前記取付け座部の横穴から抜け出せる状態になるので、安全性が確保できないと言える。
【００１３】
このような事情に鑑み、本発明は、手摺り用ブラケットにおいて、アームの棒状部の抜け出しを阻止することを目的としている。
【課題を解決するための手段】
【００１４】
本発明は、建物の壁面に沿って手摺りを横方向に設置するのに用いられる手摺り用ブラケットであって、前記手摺りを受ける手摺り受け及び当該手摺り受けが先端に設けられる棒状部を有するアームと、前記壁面に取付ねじにより固定される基板部及び前記アームの棒状部の基端側が挿脱可能に挿入されるアーム挿入部を有する取付座と、この取付座のアーム挿入部に設けられたねじ孔に螺入されかつ先端が前記棒状部の基端側外面に押し付けられることで前記アームの棒状部をアーム挿入部内に固定する固定ねじと、を備え、前記アームの棒状部には、前記固定ねじの先端側が入れられる溝が当該棒状部の中心軸線と平行に設けられ、前記取付座には、その基板部の前方に、該基板部に挿入される前記取付ねじを覆い隠す化粧カバーが着脱自在に取り付けられ、この化粧カバーの内面に、前記固定ねじの先端が前記アーム挿入部の内面から没しないように該固定ねじの緩み量を規制するストッパが設けられている、ことを特徴としている。
【００１５】
この構成では、前記化粧カバーに設けた前記ストッパによって前記固定ねじの緩み量を規制することが可能になる。これにより、余分な部品を追加することなく、前記取付座のアーム挿入部からの前記アームの棒状部の抜け出しを阻止できるようになるので、安全性を可及的に高めることが可能になる。
【００１６】
また、本発明は、建物の壁面に沿って手摺りを横方向に設置するのに用いられる手摺り用ブラケットであって、前記手摺りを受ける手摺り受け及び当該手摺り受けが先端に設けられる棒状部を有するアームと、前記壁面に取付ねじにより固定される基板部及び前記アームの棒状部の基端側が挿脱可能に挿入されるアーム挿入部を有する取付座と、この取付座のアーム挿入部に設けられたねじ孔に螺入されかつ先端が前記棒状部の基端側外面に押し付けられることで前記アームの棒状部をアーム挿入部内に固定する固定ねじと、を備え、前記アーム挿入部には、前記固定ねじの先端側が入れられる溝が当該アーム挿入部の中心軸線と平行に設けられ、前記アームの棒状部には、前記溝に嵌まる凸部が径方向外向きに突出するように設けられ、前記取付座には、その基板部の前方に、該基板部に挿入される前記取付ねじを覆い隠す化粧カバーが着脱自在に取り付けられ、この化粧カバーの内面に、前記固定ねじの先端が前記溝の内底面から没しないように該固定ねじの緩み量を規制するストッパが設けられている、ことを特徴としている。
【００１７】
ここでは、上記構成の手摺り用ブラケットとの相違として、前記溝を前記アーム挿入部に設けていること、前記溝に嵌まる凸部を前記アームの棒状部に設けていることを特定している。
【００１８】
ところで、前記ストッパは、前記固定ねじの先端を前記アームの棒状部に押し付ける位置まで前記ねじ孔に螺入された状態において、当該固定ねじの外端に接触しない程度に接近する位置に設けられる、構成とすることが好ましい。
【００１９】
この構成では、前記化粧カバーのストッパによって前記ねじ孔に螺入されている前記固定ねじの緩み量が規制されることになる。これにより、前記固定ねじによるアームの抜け止めを行うという本来の役割を確実に発揮できるようになる。
【００２０】
また、前記ストッパは、前記ねじ孔の外側開口を覆い隠すように前記化粧カバーの内面に設けられる舌片とされる、構成とすることが好ましい。
【００２１】
ここでは、前記ストッパの形成位置および形状を特定している。この特定により、前記ストッパが前記固定ねじの外端および前記ねじ孔の外側開口を覆い隠すように配置されることが明らかになる。これにより、前記固定ねじが緩んだときにその外端が前記舌片からなるストッパに当接することになって、当該固定ねじの緩み量を規制することが明らかになる。
【００２２】
さらに、前記取付座の基板部は、前記アーム挿入部の下側に張り出すような縦長形状とされており、その前面における左辺および右辺には、それぞれ側板部が前向きに張り出すとともに前記アーム挿入部の下側に連接されるように設けられており、前記化粧カバーは、前記２つの側板部と前記アーム挿入部とで囲む空間を塞ぐように前記２つの側板部の前側に着脱可能に取り付けられる、構成とすることが好ましい。
【００２３】
ここでは、前記取付座の全体形状ならびに前記化粧カバーの取付形態を特定している。この特定により、前記化粧カバーが、前記取付ねじだけでなく、前記固定ねじの外端および前記ねじ孔の外側開口を外部から隠蔽することが明らかになる。
【発明の効果】
【００２４】
本発明に係る手摺り用ブラケットは、アームの棒状部の抜け出しを阻止することが可能になる。
【図面の簡単な説明】
【００２５】
【図１】本発明に係る手摺り用ブラケットの一実施形態で、図２の（１）−（１）線断面の矢視図である。
【図２】図１の手摺り用ブラケットの正面図である。
【図３】図１の手摺り用ブラケットを斜め下から見た状態の斜視図である。
【図４】図１の手摺り用ブラケットを斜め上から見た状態の斜視図である。
【図５】図３に示す手摺り用ブラケットの分解斜視図である。
【図６】図１の化粧カバー単体を示す斜視図である。
【図７】図１の手摺り用ブラケットの設置手順の初期段階を説明するための図である。
【図８】図７の続きを説明するための図である。
【図９】本発明に係る手摺り用ブラケットの他の実施形態で、図１に対応する図である。
【図１０】図９において固定ねじが緩んだときにストッパで受け止められている状態を示す図である。
【図１１】本発明に係る手摺り用ブラケットのさらに他の実施形態で、図１に対応する図である。
【発明を実施するための形態】
【００２６】
以下、本発明を実施するための最良の実施形態について添付図面を参照して詳細に説明する。
【００２７】
図１から図８に、本発明の一実施形態を示している。図中、１は建築物の壁面、２は手摺り、３は手摺り用ブラケットである。
【００２８】
手摺り２は、丸棒状に形成されていて、例えば上下方向に沿う壁面１に横方向に沿うように設置される。
【００２９】
手摺り用ブラケット３は、アーム４、取付座５、化粧カバー６、取付ねじ７、固定ねじ８などを備えている。
【００３０】
アーム４は、上向き棒状部４１の下側に横向き棒状部４２を一体に設けたものであって、ほぼＬ字形状に形成されている。
【００３１】
上向き棒状部４１および横向き棒状部４２は、断面円形とされている。上向き棒状部４１の上側には、手摺り受け４３が設けられている。
【００３２】
この手摺り受け４３は、手摺り２が載せられて固定されるものであって、ほぼ半円筒形状に形成されており、その凹状湾曲面が上向きになっている。また、手摺り受け４３には、手摺り２を固定するための不図示のねじが挿通される挿通孔（図３および図４参照、符号省略）が設けられている。
【００３３】
取付座５は、壁面１に複数の取付ねじ７により取り付けられるものであって、アーム４が挿脱可能に取り付けられる。なお、壁面１において取付ねじ７のねじ込み位置には、図示していないが、インサートナットを埋設することも可能である。
【００３４】
詳しくは、取付座５は、図２および図５に示すように、基板部５１にアーム挿入部５２と側板部５３，５４と底板部５５とを一体に連接したような形状に形成されている。
【００３５】
基板部５１は、アーム挿入部５２の後端に一体に設けられており、アーム挿入部５２の下側に下向きに張り出すような縦長形状とされている。この基板部５１は正面視ほぼ小判形状に形成されている。
【００３６】
アーム挿入部５２は、ほぼ円筒形に形成されており、その内径はアーム４の横向き棒状部４２の外径よりも僅かに大きく設定されている。
【００３７】
側板部５３，５４は、側面視ほぼ台形とされており、基板部５１の前面における左辺および右辺にそれぞれ前向きに張り出すとともにアーム挿入部５２の下側に連接されるように設けられている。
【００３８】
このような構成の取付座５は、内部に空間が設けられるような中空形状とされることによって、中実な塊とする場合に比べて大幅な軽量化が図られているが、アーム挿入部５２の存在によって十分な強度も確保されるようになっている。
【００３９】
この取付座５の壁面１に対する取付姿勢は、前記基板部５１が縦長になるように壁面１に当接され、アーム挿入部５２が前方上側に配置されるとともに前開口５６が前方下側に配置されるような姿勢とされる。
【００４０】
なお、基板部５１には、ねじ挿通孔５１ａが設けられており、このねじ挿通孔５１ａに取付ねじ７が挿入されて壁面１にねじ込まれることによって、取付座５が壁面１に固定されるようになっている。この取付ねじ７は、この実施形態においてキャップボルト（六角穴付きボルトとも言う）とされている。
【００４１】
化粧カバー６は、取付座５の前開口５６に着脱可能に取り付けられるものである。この化粧カバー６は、取付座５の前開口５６を閉塞することにより、取付座５を壁面１に取り付けるための取付ねじ７を外部から隠蔽するものである。
【００４２】
この化粧カバー６の下端には、切り欠き６３が設けられている。この切り欠き６３は、化粧カバー６の取り外し時において、取付座５の底板部５５との間に指などを引っ掛けるための隙間を作るものである。
【００４３】
そして、取付座５のアーム挿入部５２の内孔には、アーム４の横向き棒状部４２が挿脱可能に挿入されるようになっていて、このアーム挿入部５２内に挿入されるアーム４の横向き棒状部４２が抜け止めならびに回り止めされるようになっている。
【００４４】
詳しくは、アーム４の横向き棒状部４２の外周面において下側所定領域には、溝４４が設けられている。この溝４４は、横向き棒状部４２の中心軸線と平行に設けられていて、固定ねじ８の先端が入れられるようになっている。
【００４５】
アーム挿入部５２の下壁部において前端寄りの所定位置には、固定ねじ８が螺入されるねじ孔５２ａが径方向に貫通するように設けられている。このねじ孔５２ａの直径は、溝４４の溝幅よりも小さく設定されている。
【００４６】
固定ねじ８は、ねじ軸のみで形成されており、その下端の中心には六角レンチが嵌合される六角穴が設けられている。固定ねじ８の直径は、溝４４の溝幅よりも小さく設定されている。
【００４７】
この固定ねじ８は、ねじ孔５２ａに螺入されるとともに、その先端がアーム４の横向き棒状部４２の外面（溝４４の内底面）に押し付けられるようになっている。つまり、図１に示すように、取付座５のアーム挿入部５２に挿入されたアーム４の横向き棒状部４２の溝４４をねじ孔５２ａに合致させるように位置合わせしておいて、固定ねじ８をねじ孔５２ａにその外側（下側）開口から螺入することにより、この固定ねじ８の内端（螺入方向の先端で、図１では上端）をねじ孔５２ａの内側（上側）開口から飛び出させて溝４４内に入れるとともに、溝４４の内底面に押し付ける状態にする。これにより、アーム４の横向き棒状部４２が取付座５のアーム挿入部５２に対して抜け止めされるとともに、回り止めされるようになる。
【００４８】
そして、化粧カバー６の内面において上側所定位置には、図６に示すように、ストッパ６１が一体に設けられている。
【００４９】
このストッパ６１は、固定ねじ８の緩み量を規制するものであって、ねじ孔５２ａの外側開口を覆い隠すような大きさの舌片とされている。
【００５０】
このストッパ６１は、化粧カバー６を取付座５の前開口５６に取り付けたときに、ねじ孔５２ａの外側（下側）開口および固定ねじ８の外端（螺入方向の後端で、図１では下端）を覆い隠すように配置されるとともに、固定ねじ８の外端に接触しない程度に接近する位置に配置されるようになっている。
【００５１】
つまり、ストッパ６１と固定ねじ８の外端（下端）との対向隙間は、極僅かになるように設定されている。これにより、化粧カバー６を取付座５の前開口５６に係合装着すると、この化粧カバー６のストッパ６１が固定ねじ８の外端（下端）に接触しない程度にまで接近して配置されることになるので、固定ねじ８が抜け出し方向（下方向）へほとんど動かなくなる。言い換えると、固定ねじ８がほとんど緩まなくなるのである。
【００５２】
ところで、化粧カバー６の内面において２つの長辺寄りには係止爪６２が設けられている一方で、取付座５の２つの側板部５３，５４の前辺寄りには係止爪６２が引っ掛けられる係止溝５７が設けられている。
【００５３】
これにより、化粧カバー６を取付座５の前開口５６に押し付けると、化粧カバー６の係止爪６２が弾性変形して係止溝５７に引っ掛けられるようになる。そして、化粧カバー６を強く引っ張れば係止爪６２が弾性変形して係止溝５７から離脱するようになるので、当該化粧カバー６は取付座５の前開口５６から比較的簡単に外せるようになる。
【００５４】
次に、手摺り用ブラケット３を設置するときの手順を説明する。
【００５５】
まず、図７に示すように、取付座５を壁面１に取り付ける。このとき、取付座５の基板部５１を壁面１にあてがい、この基板部５１のねじ挿通孔５１ａから取付ねじ７を挿入して壁面１にねじ込む。
【００５６】
続いて、取付座５のアーム挿入部５２の内孔に、その前開口からアーム４の横向き棒状部４２を挿入して、その挿入深さを適宜調整してから、図８に示すように、取付座５のねじ孔５２ａの外側（下側）開口から固定ねじ８を螺入する。
【００５７】
このとき、固定ねじ８は、その内端（上端）側がアーム４の溝４４内に入れられて溝４４の内底面に押し付けられる位置まで螺入される。これにより、取付座５のアーム挿入部５２に対してアーム４の横向き棒状部４２が抜け止めならびに回り止めされるように不動に固定されることになる。
【００５８】
この後、取付座５の前開口５６に化粧カバー６を装着する。これにより、化粧カバー６のストッパ６１が固定ねじ８の外端（下端）に僅かな隙間を介して接近する位置に配置されるので、固定ねじ８が抜け出し方向に動くことを物理的に阻止できるようになる。
【００５９】
これにより、固定ねじ８の緩みを阻止できるようになるので、固定ねじ８の内端がねじ孔５２ａの内側（上側）開口よりも上に飛び出した状態、つまりアーム挿入部５２の内面から没しない状態に保つことができる。
【００６０】
このように手摺り用ブラケット３を設置した後で、そのアーム４の手摺り受け４３上に手摺り２を載せてから、不図示のねじを用いて手摺り２を固定する。
【００６１】
以上説明したように本発明を適用した実施形態の手摺り用ブラケット３では、取付座５を壁面１に取り付けるための取付ねじ７を覆い隠す化粧カバー６に、取付座５にアーム４を固定するための固定ねじ８の緩み量を規制するストッパ６１を設けるようにしている。
【００６２】
これにより、余分な部品を追加することなく、取付座５のアーム挿入部５２からのアーム４の抜け出しを阻止できるようになるなど、安全性を可及的に高めることが可能になる。
【００６３】
しかも、この実施形態の手摺り用ブラケット３は、化粧カバー６でもって、固定ねじ８およびねじ孔５２ａの外側（下側）開口を覆い隠すことができるから、余分な部品を追加することなく、見栄えが良くなる。
【００６４】
なお、本発明は、上記実施形態のみに限定されるものではなく、特許請求の範囲内および当該範囲と均等の範囲内で適宜に変更することが可能である。
【００６５】
（１）上記実施形態では、ストッパ６１と固定ねじ８の外端（下端）との対向隙間を可及的に小さく設定した例を挙げているが、本発明はこれのみに限定されるものではない。
【００６６】
例えば図９および図１０に示すように、化粧カバー６のストッパ６１は、ねじ孔５２ａに固定ねじ８の内端（上端）を横向き棒状部４２の外周面に押し付ける位置まで螺入した状態において、当該固定ねじ８の外端（下端）との間に、所定の隙間を作るような位置に設けることが可能である。
【００６７】
この実施形態の場合には、固定ねじ８が僅かに緩むことを許容するようになるが、例えば図１０に示すように、仮に固定ねじ８が緩んだとしても、当該固定ねじ８の内端がねじ孔５２ａの内側（上側）開口よりも上に飛び出した状態、つまりアーム挿入部５２の内面から没しない状態を保つように、予めストッパ６１と固定ねじ８の外端（下端）との間の隙間を管理する必要がある。
【００６８】
これにより、固定ねじ８がストッパ６１の役割を果たさなくなる位置まで下がることを阻止できるようになる。このように、この実施形態の場合も、上記実施形態と同様の作用、効果が得られる。
【００６９】
（２）上記実施形態では、アーム４の横向き棒状部４２に溝４４を設けた例を挙げているが、本発明はこれのみに限定されるものではない。
【００７０】
例えば図１１に示すように、取付座５のアーム挿入部５２の下壁部の内周面に溝５４ｂを設け、アーム４の横向き棒状部４２の下側所定位置に径方向外向きに突出する凸部４５を設ける。そして、アーム４を取付座５のアーム挿入部５２に差し込むときに凸部４５を溝５４ｂに嵌め入れるようにする。
【００７１】
この凸部４５は、溝５４ｂに嵌め入れられることによってアーム４を回り止めするのに役立つ。
【００７２】
また、固定ねじ８をねじ孔５２ａに螺入すると、仮に固定ねじ８が緩んだとしてもその上端が溝５４ｂ内に飛び出している状態であれば、アーム４が抜け出し方向にスライドされたとしても、凸部４５が固定ねじ８に引っ掛かるので、アーム４が取付座５のアーム挿入部５２から完全に抜け出なくなる。このように凸部４５は固定ねじ８と協同してアーム４を抜け止めするのに役立つ。
【００７３】
（３）上記実施形態では、アーム４の横向き棒状部４２およびアーム挿入部５２の内孔の断面形状を円形とした例を挙げているが、本発明はこれのみに限定されるものではない。
【００７４】
例えば横向き棒状部４２およびアーム挿入部５２の内孔の断面形状は、例えば三角形、四角形、五角形などの角形状または楕円形などの非円形とすることが可能である。
【００７５】
このようにした場合には、アーム挿入部５２の内孔に横向き棒状部４２を挿入するだけで横向き棒状部４２を回り止めすることができる。
【００７６】
（４）上記実施形態では、手摺り受け４３をほぼ半円筒形状に形成した例を挙げているが、本発明はこれのみに限定されるものではない。
【００７７】
例えば手摺り受け４３は、手摺り２の断面形状に応じて、例えば円筒形または角筒形に形成することができる。
【産業上の利用可能性】
【００７８】
本発明は、建物の壁面に手摺りを横方向に沿うように設置するのに用いられる手摺り用ブラケットに好適に利用することが可能である。
【符号の説明】
【００７９】
１  壁面
２  手摺り
３  手摺り用ブラケット
４  アーム
４１  上向き棒状部
４２  横向き棒状部
４３  手摺り受け
４４  溝
５  取付座
５１  基板部
５１ａ  ねじ挿通孔
５２  アーム挿入部
５２ａ  ねじ孔
５３，５４  側板部
５５  底板部
５６  前開口
５７  係止溝
６  化粧カバー
６１  ストッパ
６２  係止爪
６３  切り欠き
７  取付ねじ
８  固定ねじ
【図１】
2018178594.tif 000003
【図２】
2018178594.tif 000004
【図３】
2018178594.tif 000005
【図４】
2018178594.tif 000006
【図５】
2018178594.tif 000007
【図６】
2018178594.tif 000008
【図７】
2018178594.tif 000009
【図８】
2018178594.tif 000010
【図９】
2018178594.tif 000011
【図１０】
2018178594.tif 000012
【図１１】
2018178594.tif 000013